(57)【要約】【課題】  簡単な構成でねじ部の食い込みや歯飛びを無くし、装置のコンパクト化を実現できる送りねじ方法および送りねじ機構を提供する。【解決手段】  ねじ部４ａが形成されたリードスクリュ４を回転させることで、そのリードスクリュ４のねじ部４ａと螺合する雌ねじ部５ａを有する移動ナット５をリードスクリュ４の軸心方向に沿って移動する送りねじ方法を用いた送りねじ機構において、リードスクリュ４のねじ部４ａが形成されていない部分に移動ナット５が位置した状態で、リードスクリュ４を回転可能とするものとする。【選択図】図１
2005069323.tif 000002
【特許請求の範囲】
【請求項１】
ねじ部が形成されたリードスクリュを回転させることで、そのリードスクリュのねじ部と螺合する雌ねじ部を有する移動部材をリードスクリュの軸心方向に沿って移動する送りねじ方法において、
リードスクリュのねじ部が形成されていない部分に移動部材が位置した状態で、リードスクリュを回転可能としたことを特徴とする送りねじ方法。
【請求項２】
前記移動部材の雌ねじ部をリードスクリュのねじ部にリードスクリュの軸心方向に沿った方向で当接するように付勢する行程を備えたことを特徴とする請求項１に記載の送りねじ方法。
【請求項３】
前記移動部材を付勢する方向が、移動部材の移動範囲内の所定位置で逆方向になる行程を備えたことを特徴とする請求項２に記載の送りねじ方法。
【請求項４】
前記移動部材を付勢する方向が、移動部材の移動範囲の一方側で一方側から他方側に向かい移動部材を付勢し、他方側で他方側から一方側に向かい移動部材を付勢する行程を備えたことを特徴とする請求項２または３に記載の送りねじ方法。
【請求項５】
前記移動部材をリードスクリュの軸心方向に沿ってねじ部が形成されていない部分からねじ部に向かい付勢する行程を備えたことを特徴とする請求項２乃至４のうちの何れか一項に記載の送りねじ方法。
【請求項６】
ねじ部が形成されたリードスクリュと、そのリードスクリュのねじ部と螺合する雌ねじ部を有する移動部材とを備え、前記リードスクリュの回転に伴い移動部材がリードスクリュの軸心方向に沿って移動可能に構成された送りねじ機構において、
前記リードスクリュには、移動部材の雌ねじ部と干渉しない移動部材逃がし部が形成され、
前記移動部材逃がし部とリードスクリュのねじ部が形成された範囲で移動部材を移動可能としたことを特徴とする送りねじ機構。
【請求項７】
前記リードスクリュの移動部材逃がし部は、ねじ部に隣接して移動部材の雌ねじ部よりも小径に形成された軸部としたことを特徴とする請求項６に記載の送りねじ機構。
【請求項８】
前記移動部材の雌ねじ部をリードスクリュのねじ部にリードスクリュの軸心方向に沿った方向で当接するように付勢する弾性部材を備えることを特徴とする請求項６または７に記載の送りねじ機構。
【請求項９】
前記弾性部材は、移動部材をリードスクリュの軸心方向に沿って移動部材逃がし部からねじ部に向かい付勢するように構成したことを特徴とする請求項８に記載の送りねじ機構。
【請求項１０】
前記弾性部材は、移動部材を付勢する方向が移動部材の移動範囲内の所定位置で逆方向になるようにすることを特徴とする請求項８または９に記載の送りねじ機構。
【請求項１１】
前記弾性部材は、コイルばねで構成され、移動部材が移動する所定範囲で引張りばねとして機能するとともに、移動部材が移動する他の所定範囲で圧縮コイルばねとして機能することを特徴とする請求項８乃至１０のうちの何れか一項に記載の送りねじ機構。
【請求項１２】
前記リードスクリュは、該リードスクリュを駆動するモータの回転軸と一体的に構成したことを特徴とする請求項８乃至１１のうちの何れか一項に記載の送りねじ機構。
【発明の詳細な説明】
【技術分野】
【０００１】
本発明は、送りねじ方法および送りねじ機構に係り、特に、送り部材と位相部材とを備え、送り部材としてリードスクリュを用いて移動部材をリードスクリュに沿って搬送するものであって、移動部材と送り部材との噛み込み防止を考慮した送りねじ方法及び送りねじ機構に関する。
【背景技術】
【０００２】
従来の送りねじ機構１０２として、図５、図６に示すように、例えば、ビデオカメラ等の撮像装置１０１の光学系の動作に用いられ、モータ１０３の回転軸と一体的に構成されたリードスクリュ１０４と、前記リードスクリュ１０４のねじ部１０４ａと螺合される移動ナット１０５と、前記移動ナット１０５と一体的に構成されるとともに光学系１０７が保持される移動枠１０８とを備え、モータ１０３の回転運動をリードスクリュ１０４と移動ナット１０５により直線運動に変換させて、移動枠１０８をリードスクリュ１０４の軸心方向に沿って移動させるものが知られている。図中の符号１１３、１１４は移動枠１０８を摺動可能にガイドするガイドシャフトである。
【０００３】
しかしながら、上述した従来技術では、図６に示すように、モータ１０３の制御エラー等により移動ナット１０５が移動範囲を越えて移動した場合は、移動ナット１０５がリードスクリュ軸受１１１の端面１１１ｂに干渉し、リードスクリュ１０４のねじ部１０４ａと移動ナット１０５のねじ嵌合部１０５ａが喰い込んでしまうため、モータ１０３を逆回転させても復帰することができないという問題点があった。
【０００４】
そこで、図７に示すように、例えば、リードスクリュ１０４にねじ嵌合するねじ嵌合部２０５ａを両側からバネ性を持たせた緩衝部材２０５ｂ、２０５ｃにより挟み込むタイプのキャリッジ２０５を設けて、キャリッジ２０５がリードスクリュ軸受１１１の端面１１１ｂに干渉してもねじ嵌合部２０５ａが喰い込むことを回避するものや、使用者が誤操作をした場合に、送りねじ機構たるフォーカス機構の駆動力の伝達を電気的に制御して装置の誤動作を未然に防ぐようにした撮影装置（特許文献１を参照）が提案されている。
【特許文献１】特開２０００−１８０６９４号公報
【発明の開示】
【発明が解決しようとする課題】
【０００５】
しかしながら、上述した方式によると、ねじ嵌合部２０５ａの喰い込みは、ねじ嵌合部２０５ａを緩衝部材２０５ｂ、２０５ｃで挟み込んでいるため、キャリッジ２０５のスラスト方向の長さが増えるという問題点がある。また、ユニット全体に衝撃が加わった時に、ねじ嵌合部２０５ａに歯飛びが生じてモータ１０３の制御に対してエラーを発生してしまうという問題があった。
【０００６】
また、特許文献１に記載された方式では、装置構成や制御が複雑になるという問題点があった。
【０００７】
本発明は、上記従来の問題点に鑑みてなされたものであって、簡単な構成でねじ部の食い込みや歯飛びを無くし、装置のコンパクト化を実現できる送りねじ方法および送りねじ機構を提供することを目的とするものである。
【課題を解決するための手段】
【０００８】
本発明は、送りねじ方法に係り、ねじ部が形成されたリードスクリュを回転させることで、そのリードスクリュのねじ部と螺合する雌ねじ部を有する移動部材をリードスクリュの軸心方向に沿って移動する送りねじ方法において、リードスクリュのねじ部が形成されていない部分に移動部材が位置した状態で、リードスクリュを回転可能としたことを特徴とするものである。
【０００９】
また、前記移動部材の雌ねじ部をリードスクリュのねじ部にリードスクリュの軸心方向に沿った方向で当接するように付勢する行程を備えることが好ましい。
【００１０】
さらに、前記移動部材を付勢する方向が、移動部材の移動範囲内の所定位置で逆方向になる行程を備えることが好ましい。
【００１１】
また、前記移動部材を付勢する方向が、移動部材の移動範囲の一方側で一方側から他方側に向かい移動部材を付勢し、他方側で他方側から一方側に向かい移動部材を付勢する行程を備えることが好ましい。
【００１２】
さらに、また、前記移動部材をリードスクリュの軸心方向に沿ってねじ部が形成されていない部分からねじ部に向かい付勢する行程を備えることが好ましい。
【００１３】
また、本発明は、送りねじ機構に係り、ねじ部が形成されたリードスクリュと、そのリードスクリュのねじ部と螺合する雌ねじ部を有する移動部材とを備え、前記リードスクリュの回転に伴い移動部材がリードスクリュの軸心方向に沿って移動可能に構成された送りねじ機構において、前記リードスクリュには、移動部材の雌ねじ部と干渉しない移動部材逃がし部が形成され、前記移動部材逃がし部とリードスクリュのねじ部が形成された範囲で移動部材を移動可能としたことを特徴とするものである。
【００１４】
また、前記リードスクリュの移動部材逃がし部は、ねじ部に隣接して移動部材の雌ねじ部よりも小径に形成された軸部とすることが好ましい。
【００１５】
さらに、前記移動部材の雌ねじ部をリードスクリュのねじ部にリードスクリュの軸心方向に沿った方向で当接するように付勢する弾性部材を備えることが好ましい。
【００１６】
さらに、また、前記弾性部材は、移動部材をリードスクリュの軸心方向に沿って移動部材逃がし部からねじ部に向かい付勢するように構成することが好ましい。
【００１７】
また、前記弾性部材は、移動部材を付勢する方向が移動部材の移動範囲内の所定位置で逆方向になるようにすることが好ましい。
【００１８】
さらに、また、前記弾性部材は、コイルばねで構成され、移動部材が移動する所定範囲で引張りばねとして機能するとともに、移動部材が移動する他の所定範囲で圧縮コイルばねとして機能することが好ましい。
【００１９】
また、前記リードスクリュを、該リードスクリュを駆動するモータの回転軸と一体的に構成することが好ましい。
【００２０】
ねじ嵌合を復帰させるには、ねじ嵌合で発生するバックラッシを抑える為に装着されているコイルバネの戻し方向に働く負荷によりモータの回転方向を逆転させることで、リードスクリュとナット部品が、再びねじ嵌合を再開して、通常の送り動作を行うことができる。
【発明の効果】
【００２１】
本発明の送りねじ方法によれば、簡単な構成でねじ部の食い込みや歯飛びを無くし、装置全長を短くでき、装置全体の小型化を実現できるという優れた効果を奏し得る。
【００２２】
詳しくは、本発明によれば、ねじ部が形成されたリードスクリュを回転させることで、そのリードスクリュのねじ部と螺合する雌ねじ部を有する移動部材をリードスクリュの軸心方向に沿って移動する送りねじ方法において、リードスクリュのねじ部が形成されていない部分に移動部材が位置した状態で、リードスクリュを回転可能とすることで、リードスクリュを駆動するモータ駆動の制御エラー等により、移動範囲外へのイレギュラーな動作が発生しても、移動部材がリードスクリュの不完全ねじ部へ移動することで、ねじ嵌合が解除されて、嵌合がフリーとなりねじの喰い込みや歯飛びを防止できる。
【００２３】
また、前記移動部材の雌ねじ部をリードスクリュのねじ部にリードスクリュの軸心方向に沿った方向で当接するように付勢する行程を備えることで、リードスクリュのねじ部と移動部材の雌ねじ部とが螺合する際に発生するバックラッシを無くして精度の良い搬送を実現できる。
【００２４】
さらに、前記移動部材を付勢する方向が、移動部材の移動範囲内の所定位置で逆方向になる行程を備えることで、移動部材を何れの方向に搬送する場合であってもバックラッシを無くして精度の良い搬送を実現できる。
【００２５】
また、前記移動部材を付勢する方向が、移動部材の移動範囲の一方側で一方側から他方側に向かい移動部材を付勢し、他方側で他方側から一方側に向かい移動部材を付勢する行程を備えることで、移動部材を何れの方向に搬送する場合であってもバックラッシを無くして精度の良い搬送を実現できる。
【００２６】
さらに、また、前記移動部材をリードスクリュの軸心方向に沿ってねじ部が形成されていない部分からねじ部に向かい付勢する行程を備えることで、移動部材がリードスクリュから外れてねじ部と雌ねじ部とが螺合しない状態になっても、雌ねじ部がねじ部に押し付けられているので、リードスクリュを逆に回転させるだけで容易に移動部材をリードスクリュに螺合させることができる。
【００２７】
また、本発明は、送りねじ機構に係り、ねじ部が形成されたリードスクリュと、そのリードスクリュのねじ部と螺合する雌ねじ部を有する移動部材とを備え、前記リードスクリュの回転に伴い移動部材がリードスクリュの軸心方向に沿って移動可能に構成された送りねじ機構において、前記リードスクリュには、移動部材の雌ねじ部と干渉しない移動部材逃がし部が形成され、前記移動部材逃がし部とリードスクリュのねじ部が形成された範囲で移動部材を移動可能とすることで、リードスクリュを駆動するモータ駆動の制御エラー等により、移動範囲外へのイレギュラーな動作が発生しても、移動部材がリードスクリュの不完全ねじ部へ移動することで、ねじ嵌合が解除されて、嵌合がフリーとなりねじの喰い込みや歯飛びを防止できる。
【００２８】
また、前記リードスクリュの移動部材逃がし部を、ねじ部に隣接して移動部材の雌ねじ部よりも小径に形成された軸部とすることで、雌ねじ部がリードスクリュと干渉することがないので、ねじ嵌合が解除されて、嵌合がフリーとなりねじの喰い込みや歯飛びを防止できる。
【００２９】
さらに、前記移動部材の雌ねじ部をリードスクリュのねじ部にリードスクリュの軸心方向に沿った方向で当接するように付勢する弾性部材を備えることで、リードスクリュのねじ部と移動部材の雌ねじ部とが螺合する際に発生するバックラッシを無くして精度の良い搬送を実現できる。
【００３０】
さらに、また、前記弾性部材を、移動部材をリードスクリュの軸心方向に沿って移動部材逃がし部からねじ部に向かい付勢するように構成することで、移動部材がリードスクリュから外れてねじ部と雌ねじ部とが螺合しない状態になっても、雌ねじ部がねじ部に押し付けられているので、リードスクリュを逆に回転させるだけで容易に移動部材をリードスクリュに螺合させることができる。
【００３１】
また、前記弾性部材を、移動部材を付勢する方向が移動部材の移動範囲内の所定位置で逆方向になるようにすることで、移動部材を何れの方向に搬送する場合であってもバックラッシを無くして精度の良い搬送を実現できる。
【００３２】
さらに、また、前記弾性部材は、コイルばねで構成され、移動部材が移動する所定範囲で引張りばねとして機能するとともに、移動部材が移動する他の所定範囲で圧縮コイルばねとして機能することで、一つのコイルばねにより、移動部材を何れの方向に搬送する場合であってもバックラッシを無くして精度の良い搬送を実現できる。
【００３３】
また、前記リードスクリュを、該リードスクリュを駆動するモータの回転軸と一体的に構成することで、駆動ロスを無くし、リードスクリュの駆動機構を簡略化することができる。
【発明を実施するための最良の形態】
【００３４】
以下、本発明の実施の形態について図面を参照して詳細に説明する。
【００３５】
図１〜図４は発明を実施する形態の一例であって、図１は本発明に係る実施形態の撮像装置に設けられた送りねじ機構の構成を示す平面断面図、図２は前記送りねじ機構の移動部材を後側に動作させた状態を示す平面断面図、図３は前記移動部材を前側の移動範囲外まで動作させた状態を示す平面断面図、図４は前記移動部材を後側の移動範囲外まで動作させた状態を示す平面断面図である。図中、同一の符号を付した部分は同一物を表わし、基本的な構成は図に示す従来のものと同様である。
【００３６】
本実施形態は、図１に示すように、撮像装置１の光学系７を動作させるために構成された送りねじ機構２であって、モータ３の回転軸と一体的に構成されたリードスクリュ４と、前記リードスクリュ４と螺合される移動部材たる移動ナット５と、前記移動ナット５と一体的に構成されるとともに光学系７が保持される移動枠８とを備え、モータ３の回転運動をリードスクリュ４と移動ナット５により直線運動に変換させて、移動枠８をリードスクリュ４の軸心方向に沿って前後方向に移動させるものである。
【００３７】
モータ３およびリードスクリュ４は、コ字状側断面を有するリードスクリュ軸受１１を介して外枠体１２に取付けられている。
【００３８】
前記リードスクリュ４は、軸の中程に所定の範囲でねじ部４ａが形成され、前記ねじ部４ａの両側端部には、該ねじ部４ａと連続して移動ナット５の雌ねじ部５ａと干渉しないように該雌ねじ部５ａより小径の移動ナット逃がし部４ｂ、４ｃが形成されている。その移動ナット逃がし部４ｂ、４ｃは、リードスクリュ軸受１１のモータ側の一端面１１ａと該一端面１１ａと対向して平行に形成された他端面１１ｂに、それぞれ回転自在に保持されている。
【００３９】
前記モータ３は、そのリードスクリュ側端面がリードスクリュ軸受１１の一端面１１ａに取付けられている。
【００４０】
前記リードスクリュ軸受１１は、前側外枠体１２ａと後側外枠体１２ｂとのより構成された外枠体１２の内側に配設されている。前記外枠体１２は、基板２１に取付けられた光学系ユニットのケース体２２に取付けられている。
【００４１】
前記移動枠８は、両端部が前記リードスクリュ４と平行に配置された２本のガイドシャフト１３、１４により摺動可能に保持されるとともに、移動ナット５の動作に追従して平行移動するように設けられている。
【００４２】
前記ガイドシャフト１３、１４は、それぞれの両端部が前側外枠体１２ａと後側外枠体１２ｂとに固定され、リードスクリュ４に近い位置にガイドシャフト１３が配置され、該ガイドシャフト１３を挟んでリードスクリュ４から離れた位置にガイドシャフト１４が配置されている。
【００４３】
前記ガイドシャフト１４には、移動枠８と後側外枠体１２ｂとの間に、ねじ部４ａと雌ねじ部５ａの螺合時のバックラッシを取るためのコイルばね１５が配置されている。
【００４４】
前記コイルばね１５は、両端部がそれぞれ移動枠８と後側外枠体１２ｂとに連結され、図１に示すように、移動ナット５がリードスクリュ４の先端側に近い位置では引っ張られて引張りばねとしての機能を生じさせ、図２に示すように、移動ナット５がリードスクリュ４のモータ３側に近い位置では圧縮されて圧縮ばねとしての機能を生じさせるように、ばねの自由長が設定されている。
【００４５】
前記移動ナット５は、前記コイルばね１５によりリードスクリュ４に対してリードスクリュの軸心に沿った向きに付勢されている。これにより、リードスクリュ４のねじ部４ａと移動ナット５の雌ねじ部５ａとが常にバックラッシが無い状態で螺合される。
【００４６】
次に、本実施形態の送りねじ機構の動作について図面を参照して説明する。
【００４７】
通常、撮像装置１の光学系を動作する場合は、図１、図２に示すように、モータ３を駆動してリードスクリュ４を正逆回転させることで、リードスクリュ４のねじ部４ａが形成された範囲で移動ナット５を移動するようにされている。
【００４８】
本実施形態においては、リードスクリュ４の回転で移動ナット５が先端側に進む場合を「正回転」とし、移動ナット５がモータ３側に進む場合を「逆回転」とする。
【００４９】
図１に示すように、移動ナット５がねじ部４ａが形成される範囲で先端寄りの場合、コイルばね１５は引き伸ばされて引張りばねとしての機能が働き、移動ナット５は移動枠８とともにリードスクリュ４のモータ３側（後側方向）に向かい付勢され、移動ナット５の雌ねじ部とリードスクリュ４のねじ部４ａとがバックラッシが無い状態で螺合される。
【００５０】
また、図２に示すように、移動ナット５がねじ部４ａが形成される範囲でモータ３側寄りの場合、コイルばね１５は縮められて圧縮ばねとしての機能が働き、移動ナット５は移動枠８とともにリードスクリュ４の先端側（前側方向）に向かい付勢され、移動ナット５の雌ねじ部とリードスクリュ４のねじ部４ａとがバックラッシが無い状態で螺合される。
【００５１】
上述したように、リードスクリュ４において、ねじ部４ａが形成されている所定の範囲内であれば、移動ナット５は、常にバックラッシが無い状態で螺合されるので、モータ３の回転に応じて正確に移動することができる。
【００５２】
ここで、移動ナット５がリードスクリュ４のねじ部５ａが形成された範囲を越えて移動した場合について説明する。
【００５３】
図３、図４に示すように、移動ナット５がモータ３の制御エラー等で移動範囲（ねじ部５ａが形成された範囲）を越えて移動した場合は、移動ナット５がリードスクリュ４の移動ナット逃がし部４ｂ又は４ｃに入り込む。この時、移動ナット５の雌ねじ部５ａとリードスクリュ４のねじ部４ａとの螺合状態が開放されてフリーの状態になる。すなわち、リードスクリュ４の回転が停止しなくとも、リードスクリュ４の軸部に移動ナット５の雌ねじ部５ａが喰い込むことが無くなる。
【００５４】
次に、リードスクリュ４のねじ部４ａから外れた移動ナット５を、正規の位置（ねじ部４ａが形成された範囲）に戻す場合について説明する。
【００５５】
本実施形態では、コイルばね１５により、常にリードスクリュ４のねじ部４ａと移動ナット５の雌ねじ部５ａとのねじ嵌合で発生するバックラッシを抑えるように構成されている。詳しくは、移動ナット５がねじ部４ａが形成される範囲で先端寄りの場合、コイルばね１５は引き伸ばされて引張りばねとしての機能が働き、移動ナット５がねじ部４ａが形成される範囲でモータ３側寄りの場合、コイルばね１５は縮められて圧縮ばねとしての機能が働くように設定されている。
【００５６】
したがって、例えば、モータ３を正回転で駆動し、移動ナット５がリードスクリュ４の先端側の移動ナット逃がし部４ｂに移動してねじ部４ａから離脱した場合は、コイルばね１５が引張りばねとして機能しているので、移動ナット５がねじ部４ａが先端側端部に付勢されているため、リードスクリュ４を逆回転させるだけでリードスクリュ４のねじ部４ａと移動ナット５の雌ねじ部５ａとを再び螺合させることができる。
【００５７】
一方、モータ３を逆回転で駆動し、移動ナット５がリードスクリュ４のモータ３側の移動ナット逃がし部４ｃに移動してねじ部４ａから離脱した場合は、コイルばね１５が圧縮ばねとして機能しているので、移動ナット５がねじ部４ａのモータ３側端部に付勢されているため、リードスクリュ４を正回転させるだけでリードスクリュ４のねじ部４ａと移動ナット５の雌ねじ部５ａとを再び螺合させることができる。
【００５８】
以上のように構成したので、本実施形態によれば、リードスクリュ４のねじ部４ａの両端側に移動ナット逃がし部４ｂ、４ｃを形成したので、移動ナット５が移動範囲を越えて動作した場合であっても、移動ナット５とリードスクリュ４との噛み込みを回避できる。
【００５９】
また、移動ナット５をコイルばね１５により常にリードスクリュ４と移動ナット５とをバックラッシなくねじ嵌合しているので、モータ３の回転制御によりリードスクリュ４の回転に伴い移動ナット５を正確に移動することができる。
【００６０】
さらに、前記コイルばね１５は、ねじ部４ａが形成される範囲で移動ナット５が先端寄りに位置している場合は、コイルばね１５が引き伸ばされて引張りばねとしての機能が働き、移動ナット５がモータ３側寄りに位置している場合は、コイルばね１５が縮められて圧縮ばねとしての機能が働くようにばねの自由長を設定したので、移動ナット５がリードスクリュ４のねじ部４ａの形成された範囲を越えて、先端側（前方）およびモータ側（後方）のいずれの端部側にオーバーランした場合であっても、リードスクリュ４の回転を逆に回転（正回転から逆回転、または、逆回転から正回転）させるだけで、他の復帰手段を用いることなく簡単に移動ナット５をねじ部４ａに螺合させることができる。
【００６１】
尚、本発明の送りねじ方法および送りねじ機構は、上記した実施の形態に限定されるものではなく、本発明の要旨を逸脱しない範囲内において種々変更を加え得ることは勿論である。
【００６２】
例えば、本実施形態では、１つのコイルばね１５で、移動ナット５が移動する所定範囲で引張りばねとして機能するとともに、移動ナット５が移動する他の所定範囲で圧縮コイルばねとして機能するように構成しているが、本発明はこれに限定されるものではなく、移動部材を付勢する方向が移動部材の移動範囲内の所定位置で逆方向になるようにするものであれば、移動部材たる移動ナット５に連結される移動枠８を挟んで２つのコイルばねを配置して、移動ナット５が移動する範囲内で少なくとも何れか一方のコイルばねが圧縮ばねとして機能するようにしたものであってもよい。このように構成することで、常に連続的にリードスクリュ４に移動ナット５を押し付けてバックラッシを抑えることができる。
【００６３】
また、本実施形態では、撮像装置１を例に挙げて送りねじ機構を説明しているが、本発明はこれに限定されるものではなく、例えば、撮影系のビデオカメラやデジタルスチルカメラ等においても適用が可能である。
【図面の簡単な説明】
【００６４】
【図１】本発明に係る実施形態の撮像装置に設けられた送りねじ機構の構成を示す平面断面図である。
【図２】前記送りねじ機構の移動部材を後側に動作させた状態を示す平面断面図である。
【図３】前記移動部材を前側の移動範囲外まで動作させた状態を示す平面断面図である。
【図４】前記移動部材を後側の移動範囲外まで動作させた状態を示す平面断面図である。
【図５】従来の送りねじ機構の構成を示す平面断面図である。
【図６】従来の送りねじ機構の移動部材を前側に動作させた状態を示す平面断面図である。
【図７】従来の送りねじ機構のその他の一例を示す平面断面図である。
【符号の説明】
【００６５】
１  撮像装置
２  送りねじ機構
３  モータ
４  リードスクリュ
４ａ  ねじ部
４ｂ、４ｃ  移動ナット逃がし部
５  移動ナット（移動部材）
５ａ  雌ねじ部
１３、１４  ガイドシャフト
１５  コイルばね
【図１】
2005069323.tif 000003
【図２】
2005069323.tif 000004
【図３】
2005069323.tif 000005
【図４】
2005069323.tif 000006
【図５】
2005069323.tif 000007
【図６】
2005069323.tif 000008
【図７】
2005069323.tif 000009